(57)【特許請求の範囲】
【請求項１】
ロ字をなしエレベーターの昇降路に配置される枠体と、
この枠体の下枠に載置されて多数が積み重ね状態に配置され、長手両端部がそれぞれ対向した上記枠体の側枠に係合された第一種錘体と、
筒体からなり長手両端部がそれぞれ対向した上記側枠の上端に連結され、水平投影面において幅方向の一側に張り出して構成されて上記エレベーターの主索が連結される引き止め部を有する上記枠体の上枠と、
上記主索の引き止め具の引き止め部における挿通端側の側面に対応する上記枠体内のスペースに配置された第二種錘体と
を備えたエレベーター用つり合おもり。
【請求項２】
上端が上枠の長手における引き止め部側の縁部に連結され、下端は下枠に連結された連結部材を備えたことを特徴とする請求項１記載のエレベーター用つり合おもり。
【発明の詳細な説明】
【０００１】
【発明の属する技術分野】
この発明は、多数の錘体が積み重ね状態に配置され、主索に吊持されて昇降路を昇降するエレベーター用つり合おもりに関する。
【０００２】
【従来の技術】
図６〜図９は、例えば特開昭５８−２１６８８０号公報に示された従来のエレベーター用つり合おもりを示す図で、図６はエレベーターを概念的に示す縦断面図、図７は図６を横断し拡大して示す平面図、図８は図６におけるつり合おもりの拡大側面図、図９は図８のＡ−Ａ線断面を拡大して示す図である。図において、１はエレベーターの昇降路、２は昇降路１の所定経路を昇降するかご、３は昇降路１に立設されてかご２の昇降を案内するかご用レールである。
【０００３】
４は昇降路１の他の所定経路を昇降するつり合おもりで、上枠５、側枠６及び下枠７がロ字状に組立てられた枠体８並びに下枠７に載置されて多数が積み重ね状態に配置され長手両端部がそれぞれ対向した側枠６に係合された錘体９によって構成されている。１０は昇降路１に立設されてつり合おもり４の昇降を案内するつり合おもり用レールである。
【０００４】
１１は昇降路１内の上端寄りに設置された巻上機、１２は主索で、巻上機１１の駆動綱車１３に巻掛けられた両端がそれぞれ引き止め具１４を介してかご２及びつり合おもり４に連結されている。１５は一側が昇降路１の壁に装着されて他側によってかご用レール３及びつり合おもり用レール１０を支持したレールブラケットである。
【０００５】
従来のエレベーター用つり合おもりは上記のように構成され、巻上機１１が昇降路１内の上端寄りに配置されて機械室なし形態のエレベーターが形成され、巻上機１１の駆動綱車１３に主索１２が巻掛けられる。また、主索１２の一端にかご２が他端につり合おもり４が吊持される。そして、巻上機１１が付勢されると駆動綱車１３が回転してつり合おもり用レール１０に案内されてつり合おもり４がかご２とは反対方向に昇降するようになっている。
【０００６】
【発明が解決しようとする課題】
上記のような従来のエレベーター用つり合おもりにおいて、図７に示すように巻上機１１が昇降路１内に設置される機械室なし形態のエレベーターでは、昇降路１内のエレベーター機器の配置が複雑化し、これに伴ってつり合おもり４の水平面形状も複雑化、多様化する。また、昇降路１の高さ方向における省スペース化を図るために、つり合おもり４の水平投影面の面積をなるべく大きくして、つり合おもり４の背丈を低くする設計が行われる。
【０００７】
このような設計によるエレベーターの構成では、図７に示すように水平投影面において巻上機１１の駆動綱車１３の位置によって設定されるかご２等吊持位置に対応した位置に、かご用レール３及びつり合おもり用レール１０が立設される。そして、かご用レール３、つり合おもり用レール１０及びレールブラケット１５の配置位置によって昇降路１の内法寸法が決定する。
【０００８】
そして、図７に示すように水平投影面において、つり合おもり４の枠体８を吊持する引き止め具１４位置に、つり合おもり４の水平面形状の中心を一致させる配置の場合には、かご２とつり合おもり４との間に無駄なスペースが生じる。このため、昇降路１の所要の内法寸法が増しエレベーターが設置される建物のペース効率が低下し、また昇降路１の構築費が増大するという問題点があった。
【０００９】
この発明は、かかる問題点を解消するためになされたものであり、水平投影面での面積が大きく、機械室なし形態のエレベーターにおける狭い内法寸法の昇降路に設置できるエレベーター用つり合おもりを得ることを目的とする。
【００１０】
【課題を解決するための手段】
この発明に係るエレベーター用つり合おもりにおいては、ロ字をなしエレベーターの昇降路に配置される枠体と、この枠体の下枠に載置されて多数が積み重ね状態に配置され、長手両端部がそれぞれ対向した枠体の側枠に係合された第一種錘体と、筒体からなり長手両端部がそれぞれ対向した側枠の上端に連結され、水平投影面において幅方向の一側に張り出して構成されてエレベーターの主索が連結される引き止め部を有する枠体の上枠と、主索の引き止め具の引き止め部における挿通端側の側面に対応する枠体内のスペースに配置された第二種錘体とが設けられる。
【００１１】
また、この発明に係るエレベーター用つり合おもりにおいては、上端が上枠の長手における引き止め部側の縁部に連結され、下端は下枠に連結された連結部材が設けられる。
【００１３】
【発明の実施の形態】
実施の形態１．
図１〜図５は、この発明の実施の形態の一例を示す図で、図１はエレベーターの昇降路要部を概念的に示す横断平面図、図２は図１におけるつり合おもりの右側面を概念的に示す拡大図、図３は図２の背面図、図４は図３のＢ−Ｂ線断面拡大図、図５は図２のつり合おもりの上端を下方から見た拡大斜視図である。なお、図１〜図５の他は前述の図６〜図９と同様にエレベーターが構成されている。図において、１はエレベーターの昇降路、２は昇降路１の所定経路を昇降するかご、３は昇降路１に立設されてかご２の昇降を案内するかご用レールである。
【００１４】
１６は昇降路１の他の所定経路を昇降するつり合おもりで、後述する上枠１７、側枠１８及び下枠１９がロ字状に組立てられた枠体２０並びに下枠１９に載置されて多数が積み重ね状態に配置され長手両端部がそれぞれ対向した側枠１８に係合された第一種錘体２１及び図４に示すように最上位置の第一種錘体２１に載置されて複数が積み重ね状態に配置され長手両端部がそれぞれ対向した側枠１８に係合された第二種錘体２２によって構成されている。
【００１５】
なお、上枠１７は筒体によって形成されて長手両端部がそれぞれ対向した側枠１８の上端に連結され、水平投影面において幅方向の一側に張り出して構成されて主索１２に連結された引き止め具１４が挿通されて係止される引き止め部２３が設けられている。
【００１６】
１０は昇降路１に立設されてつり合おもり１６の昇降を案内するつり合おもり用レール、１５は一側が昇降路１の壁に装着されて他側によってかご用レール３及びつり合おもり用レール１０を支持したレールブラケットである。２４は連結部材で、上端が上枠１７の長手における引き止め部２３側の縁部に連結され、下端は下枠１９に連結されている。
【００１７】
上記のように構成されたエレベーター用つり合おもりにおいて、巻上機１１が昇降路１内の上端寄りに配置されて機械室なし形態のエレベーターが形態され、巻上機１１の駆動綱車１３に主索１２が巻掛けられる。また、主索１２の一端にかご２が他端につり合おもり１６が吊持される。そして、巻上機１１が付勢されると駆動綱車１３が回転してつり合おもり用レール１０に案内されてつり合おもり１６がかご２とは反対方向に昇降する。
【００１８】
また、巻上機１１が昇降路１内の上端寄りに配置された機械室なし形態のエレベーターにおいて、つり合おもり１６の上枠１７に水平投影面において幅方向の一側に張り出して構成されて図１に示すように反かご２側に配置された引き止め部２３が設けられる。そして、主索１２に連結された引き止め具１４が引き止め部２３に挿通されて係止される。
【００１９】
このため、図１に示すように水平投影面において巻上機１１の駆動綱車１３の位置によって設定されるかご２等の吊持位置に対応した位置に、かご用レール３及びつり合おもり１６の引き止め部２３をそれぞれ配置する。これによって、かご２とつり合おもり１６の両者を接近して配置することができ、上記両者の間に無駄なスペースが生じない。したがって、昇降路１の所要の内法寸法を短縮できてエレベーターが設置される建物のペース効率を向上し、また昇降路１の構築費を節減することができる。
【００２０】
また、主索１２に連結された引き止め具１４を介して、つり合おもり１６の上枠１７に偏芯荷重が作用するが、上枠１７が筒体からなる部材によって構成されている。このため、偏芯荷重に対する捩じれ強度、剛性を確保することができる。さらに、連結部材２４が設けられているので上枠１７に作用する偏芯荷重が下枠１９に伝達されて下枠１９に分散する。このため、容易に偏芯荷重に対する上枠１７の捩じれ強度、剛性を確保することができる。
【００２１】
また、つり合おもり１６における上枠１７の引き止め部２３に引き止め具１４が挿通される。そして、引き止め具１４の挿通端側の側面に形成されて、枠体２０に積み重ねられた最上位置の第一種錘体２１と上枠１７との間に配置されたスペースに第二種錘体２２を積み込むことができる。このため、所定の高さのつり合おもり１６における重量を増加できる。したがって、実質的につり合おもり１６の背丈を低くすることができて、昇降路１を高さ方向において省スペース化でき昇降路１の構築費を節減することができる。
【００２２】
なお、図１〜図５の実施の形態では、エレベーターが１：１ローピングからなるものとし、つり合おもり１６における上枠１７に主索１２の引き止め部２３が設けられたものとして説明した。しかし、２：１ローピングからなるエレベーターの場合であって、上枠１７の引き止め部２３位置につり合おもり用の吊り車を設けた構成であるときにも、図１〜図５の実施の形態における作用と同様な作用を得ることができる。
【００２３】
【発明の効果】
この発明は以上説明したように、ロ字をなしエレベーターの昇降路に配置される枠体と、この枠体の下枠に載置されて多数が積み重ね状態に配置され、長手両端部がそれぞれ対向した枠体の側枠に係合された第一種錘体と、筒体からなり長手両端部がそれぞれ対向した側枠の上端に連結され、水平投影面において幅方向の一側に張り出して構成されてエレベーターの主索が連結される引き止め部を有する枠体の上枠と、主索の引き止め具の引き止め部における挿通端側の側面に対応する枠体内のスペースに配置された第二種錘体とを設けたものである。
【００２４】
このような構成によって、機械室なし形態のエレベーターであって昇降路内の上部寄りに設けられた巻上機の駆動綱車の水平投影面における位置によって、設定される吊持位置に対応した位置にかご用レール及びつり合おもりの引き止め部をそれぞれ配置する。これにより、かごとつり合おもりの両者を水平投影面において互いに接近して配置することができ、上記両者の間に無駄なスペースを少なくすることができる。したがって、昇降路の内法寸法を短縮できてエレベーターが設置される建物のペース効率を向上し、また昇降路の構築費を節減する効果がある。また、つり合おもりの上枠が筒体からなる部材によって構成されているので、主索に連結された引き止め具を介して作用する偏芯荷重に対する上枠の捩じれ強度、剛性の確保を容易化する効果がある。また、引き止め部における引き止め具の挿通端側の側面に錘体を積み込むことによって、所定の高さのつり合おもりにおける重量を増加できる。したがって、実質的につり合おもりの背丈を低くすることができ、昇降路を高さ方向において省スペース化でき昇降路の構築費を節減する効果がある。
【００２５】
また、この発明は以上説明したように、上端が上枠の長手における引き止め部側の縁部に連結され、下端は下枠に連結された連結部材を設けたものである。
【００２６】
このような構成によって、エレベーターの昇降路内の上部寄りに設けられた巻上機の駆動綱車の水平投影面における位置によって、設定される吊持位置に対応した位置にかご用レール及びつり合おもりの引き止め部をそれぞれ配置する。これにより、かごとつり合おもりの両者を水平投影面において互いに接近して配置することができ、上記両者の間に無駄なスペースを少なくすることができる。したがって、昇降路の内法寸法を短縮できてエレベーターが設置される建物のスペース効率を向上し、また昇降路の構築費を節減する効果がある。また、つり合おもりの上枠が筒体からなる部材によって構成され、また上枠と下枠が連結部材によって連結されている。このため、主索に連結された引き止め具を介して作用する偏芯荷重に対する上枠の捩じれ強度、剛性の確保を容易化する効果がある。
【図面の簡単な説明】
【図１】  この発明の実施の形態１を示す図で、エレベーターの昇降路要部を概念的に示す横断平面図。
【図２】  図１におけるつり合おもりの右側面を概念的に示す拡大図。
【図３】  図２の背面図。
【図４】  図３のＢ−Ｂ線断面拡大図。
【図５】  図２のつり合おもりの上端を下方から見た拡大斜視図。
【図６】  従来のエレベーターを概念的に示す縦断面図。
【図７】  図６を横断し拡大して示す平面図。
【図８】  図８は図６におけるつり合おもりの拡大側面図。
【図９】  図８のＡ−Ａ線断面を拡大して示す図。
【符号の説明】
１  昇降路、    １２  主索、    １４  引き止め具、    １７  上枠、    １８  側枠、    １９  下枠、    ２０  枠体、    ２１  第一種錘体（錘体）、    ２２  第二種錘体（錘体）、    ２３  引き止め部、    ２４  連結部材。
【図１】
0004850370.tif 000002
【図２】
0004850370.tif 000003
【図３】
0004850370.tif 000004
【図４】
0004850370.tif 000005
【図５】
0004850370.tif 000006
【図６】
0004850370.tif 000007
【図７】
0004850370.tif 000008
【図８】
0004850370.tif 000009
【図９】
0004850370.tif 000010